(57)【要約】【課題】がたつくことなく確実にパネルを取り付けることができる照明器具を提供する。【解決手段】ＬＥＤ光源２１を有する器具本体２０は、枠体３０に取り付けられ、枠体３０を被取付面１１に取り付けることにより、照明器具１０を被取付面１１に取り付ける。枠体３０における器具本体２０の照射方向には前面枠４０が取り付けられ、前面枠４０には反射板４４が取り付けられ、反射板４４にはパネル４５が取り付けられる。そして、反射板４４に、パネル４５の外周部を覆うつば部４６を設けるとともにパネル４５の一部４５１が嵌合する嵌合部４７を設け、前面枠４０に、パネル４５の外周部を支持する支持部４９と、反射板４４を固定する固定部４８とを設けた。このため、パネル４５は、反射板４４のつば部４６および嵌合部４７、前面枠４０の支持部４９により支持されるので、がたつくことなく確実にパネル４５を取り付けることができる。【選択図】図３
2014078473.tif 000002
【特許請求の範囲】
【請求項１】
被取付面に取り付けられる枠体と、
前記枠体に取り付けられＬＥＤ光源を有する器具本体と、
前記枠体における前記器具本体の照射方向に取り付けられる前面枠と、
前記前面枠に取り付けられ前記ＬＥＤ光源からの光を所定方向に反射する反射板と、
前記反射板に取り付けられるパネルと、を有し、
前記反射板に、前記パネルの外周部を覆うつば部を設けるとともに、前記パネルの一部が嵌合する嵌合部を設け、
前記前面枠に、前記パネルの外周部を支持する支持部と、前記反射板を固定する固定部とを設けた照明器具。
【請求項２】
請求項１に記載の照明器具において、
前記つば部が、前記パネルの照射方向反対側面を覆う照明器具。
【請求項３】
請求項１または請求項２に記載の照明器具において、
前記器具本体および前記パネルが前記枠体に対して傾斜して支持される照明器具。
【発明の詳細な説明】
【技術分野】
【０００１】
本発明は、発光部の前方に配光を調整するパネルを有する照明器具に関するものである。
【背景技術】
【０００２】
従来、発光部の前方にレンズ（パネル）を有する照明器具が知られている（例えば、特許文献１参照）。
図８に示すように、特許文献１に記載の照明器具１００は、天井等に形成した取付孔１０１内に取り付けて使用するダウンライトであり、ダウンライト本体１０２と、このダウンライト本体１０２を取付孔１０１に取り付けるための取付具１０３を有する。
ダウンライト本体１０２は、基本構成ユニット１０４を有する。基本構成ユニット１０４は、反射体１０５、ソケット１０６およびソケット１０６に取り付けられる光源であるランプ１０７を有する。
基本構成ユニット１０４の前側には、アダプタ１０８を介してコーン１０９が取り付けられる。
また、ランプ１０７の前方には、レンズ１１０が取り付けられる。
【先行技術文献】
【特許文献】
【０００３】
【特許文献１】特開２００８−３４１８５号公報（第２図）
【発明の概要】
【発明が解決しようとする課題】
【０００４】
ところで、図９に示すように、従来の斜めに光を照射する照明器具１１１においては、反射板１１２に設けた嵌合部１１３および支持部１１４でパネル１１５を支持している。このため、パネル１１５を２点で押えることになるので、パネル１１５のがたつきが大きいという問題があった。
【０００５】
本発明は、従来の問題を解決するためになされたもので、がたつくことなく確実にパネルを取り付けることができる照明器具を提供することを目的とする。
【課題を解決するための手段】
【０００６】
本発明の照明器具は、被取付面に取り付けられる枠体と、前記枠体に取り付けられＬＥＤ光源を有する器具本体と、前記枠体における前記器具本体の照射方向に取り付けられる前面枠と、前記前面枠に取り付けられ前記ＬＥＤ光源からの光を所定方向に反射する反射板と、前記反射板に取り付けられるパネルと、を有し、前記反射板に、前記パネルの外周部を覆うつば部を設けるとともに、前記パネルの一部が嵌合する嵌合部を設け、前記前面枠に、前記パネルの外周部を支持する支持部と、前記反射板を固定する固定部とを設けたものである。
【０００７】
また、本発明の照明器具は、前記つば部が、前記パネルの照射方向反対側面を覆うものである。
【０００８】
さらに、本発明の照明器具は、前記器具本体および前記パネルが前記枠体に対して傾斜して支持されるものである。
【発明の効果】
【０００９】
本発明は、反射板に、パネルの外周部を覆うつば部を設けるとともにパネルの一部が嵌合する嵌合部を設け、前面枠に、パネルの外周部を支持する支持部と、反射板を固定する固定部とを設けた。このため、パネルは、反射板のつば部および嵌合部、前面枠の支持部により支持されるので、がたつくことなく確実にパネルを取り付けることができるという効果を有する照明器具を提供できる。
【図面の簡単な説明】
【００１０】
【図１】本発明に係る実施形態の照明器具の斜視図
【図２】本発明に係る実施形態の照明器具を天井面に取り付けた状態の断面図
【図３】本発明に係る実施形態の照明器具の分解斜視図
【図４】前面枠を上方から見た斜視図
【図５】前面枠を下方から見た斜視図
【図６】前面枠の縦断面図
【図７】（Ａ）は前面枠の一部破断の斜視図であり、（Ｂ）は（Ａ）中Ｂ部分の拡大図
【図８】従来の照明器具の断面図
【図９】従来の照明器具における問題点を示す斜視図
【発明を実施するための形態】
【００１１】
以下、本発明に係る実施形態の照明器具について、図面を用いて説明する。
図１および図２に示すように、本発明に係る実施形態の照明器具１０は、被取付部としての例えば天井面１１に設けられた取付孔１２に取り付けて、主に下方あるいは斜め下方を照明するダウンライトとすることができる。
なお、以下の説明において、光照射方向を下方（下側）と云い、光照射方向と反対側を上方（上側）と云うこととする。
【００１２】
図３に示すように、照明器具１０は、円柱形状の器具本体２０を有する。
器具本体２０の内部には、ＬＥＤ光源２１（図２参照）を有する発光部２２が収容され、器具本体２０の上面には、発光部２２が発した熱を放出する放熱フィン２３が設けられている。
なお、器具本体２０の外周面には、例えば略対称位置に、一対の取付用ねじ孔２４が設けられている。
【００１３】
器具本体２０の下側には、天井面１１の取付孔１２に固定される枠体３０が設けられている。枠体３０は、上部には全体Ｃ字形状の上取付板３１を有し、下部には円環板状の枠３２を有する。
上取付板３１と枠３２とは、一対の脚部３３により、所定間隔で互いに平行に対向して連結される。
【００１４】
上取付板３１は、略半円形状の開口部３１１を有し、一方の側（図３において左上側）に開口している。
開口部３１１には、器具本体２０が側方から収容される（図３中矢印Ａ参照）。  
枠３２は、枠体３０を天井面１１の取付孔１２に取り付けた際に、天井面１１の下面に当接して、下方に露出する。
【００１５】
脚部３３は、上取付板３１および枠３２において、枠体３０の中心に対して対向する位置に一対設けられている。なお、脚部３３は、枠３２に別体に設けて枠３２に取り付けることができるが、折曲げ加工により枠３２と一体で設けることもできる。
各脚部３３には切欠き３３１が上下方向に沿って設けられており、取付ばね３４が上下移動可能、かつ、常時下方へ付勢されて設けられている。
従って、取付ばね３４と枠３２の上面との間に天井面１１を挟持することにより、枠体３０は天井面１１の取付孔１２に取り付けられる。
【００１６】
上取付板３１の内周側縁部には、一対のブラケット３５が下方に突出して設けられている（図１参照）。
各ブラケット３５には軸孔（図示省略）が設けられており、軸孔に挿通した取付ねじ３６（図１参照）を器具本体２０の取付用ねじ孔２４に締結することによって、器具本体２０が枠体３０に取り付けられる。
なお、器具本体２０は枠体３０に対して傾斜して取り付けられており、発光部２２が照射する光は、斜め下方に向かう。
【００１７】
枠３２の上面には、一対の支持板３７が対向して設けられている。各支持板３７は、脚部３３に隣接して設けることができる。
支持板３７の上端部には、上方に開口する略Ｔ字形状の切欠き３７１が設けられており、切欠き３７１の両側から係止片３７２が互いに接近するように設けられている。なお、係止片３７２の先端は、枠体３０の内側に屈曲させる。
【００１８】
枠体３０の内部における器具本体２０の下方には、前面枠４０が収容される。
図４および図５に示すように、前面枠４０は、枠体３０の枠３２の内径よりも大きな外径を有する全体円板状の円板部４１を有する。
円板部４１の中央部には、一方の側の縁端部寄りに、下方に突出する蓋部４１２が設けられ、蓋部４１２がない部分には、発光部２２からの光を出射する出射開口４１１を有する。
【００１９】
円板部４１の外周部には、上方に向かって立壁４２が設けられている。
立壁４２において前面枠４０の中心に対して対称な位置には、一対のキックバネ４３が上方に向かって拡がるように設けられている。
キックバネ４３は一対のアーム４３１、４３１を有しており、中央部がねじ４３２によって立壁４２に取り付けられている（図３参照）。一対のアーム４３１、４３１は、互いに離反する方向へ付勢される。
【００２０】
図１に示すように、キックバネ４３の一対のアーム４３１、４３１は、互いに接近させた状態で、枠体３０の支持板３７に設けられている切欠き３７１に挿入可能となっている。
そして、一対のアーム４３１、４３１が、互いに離反することにより、係止片３７２によって係止される。
これにより、前面枠４０は枠体３０に取り付けられる。
なお、前面枠４０を枠体３０から外す際には、一対のアーム４３１、４３１は、互いに接近させることにより、切欠き３７１から取り外すことができる。
【００２１】
前面枠４０における立壁４２の内側には、ＬＥＤ光源２１からの光を所定方向に反射する反射板４４が取り付けられており、反射板４４の下部には、パネル４５が傾斜して取り付けられている。
反射板４４は半椀形状をしており、傾斜した器具本体２０の発光部２２に対応して立設されている。
図４に示すように、立壁４２には一対の固定部４８が設けられており、固定部４８において反射板４４の左右両端部が、前面枠４０にねじ４８１で固定される。
【００２２】
反射板４４の内面下部には、パネル４５の傾斜に略沿って、一対のつば部４６が設けられている。
一対のつば部４６の間におけるつば部４６の下方には、パネル４５を固定するための嵌合部４７が設けられている。
図７（Ｂ）に示すように、嵌合部４７は、反射板４４に設けられた開口４４１と、パネル４５に設けられた嵌合突起４５１とで構成される。
【００２３】
また、図４および図５に示すように、前面枠４０の立壁４２の周方向端部における上端部には、パネル４５の外周部を支持するための支持部４９が設けられている。
支持部４９においては、立壁４２の一部が内側に折曲げられてブラケット４９１が形成されており、ブラケット４９１には、パネル４５が挿嵌されるスリット４９２が設けられている。
【００２４】
パネル４５を反射板４４に取り付ける際には、パネル４５の嵌合突起４５１を、反射板４４のつば部４６の下側から開口４４１に挿入する。
そして、パネル４５の外周部を支持部４９のブラケット４９１のスリット４９２に挿入する。
【００２５】
本発明の照明器具１０の作用効果について説明する。
図１および図２に示すように、ＬＥＤ光源２１を有する器具本体２０は、枠体３０に取り付けられ、枠体３０を天井面１１に取り付けることにより、照明器具１０を天井面１１に取り付ける。
枠体３０における器具本体２０の照射方向には前面枠４０が取り付けられる。前面枠４０には反射板４４が取り付けられ、反射板４４にはパネル４５が取り付けられる。
そして、反射板４４に、パネル４５の外周部を覆うつば部４６を設けるとともにパネル４５の一部が嵌合する嵌合部４７を設け、前面枠４０に、パネル４５の外周部を支持する支持部４９と、反射板４４を固定する固定部４８とを設けた。
このため、パネル４５は、反射板４４のつば部４６および嵌合部４７および前面枠４０の支持部４９により支持されるので、がたつくことなく確実にパネル４５を取り付けることができる。
これにより、ＬＥＤ光源２１から発せられた光は、直接、あるいは、反射板４４で反射した後、パネル４５を通過して配光制御され、出射開口４１１から斜め下方へ照射される。
【００２６】
また、つば部４６が、パネル４５の上側面を覆うので、パネル４５の浮き上がりを防止することができ、がたつくことなく確実にパネル４５を取り付けることができる。
また、パネル４５の外周部と反射板４４との間をつば部４６が覆うので、発光部２２からの光ＬＢが、パネル４５と反射板４４との隙間から漏れるのを防止することができる（図６参照）。
【００２７】
また、器具本体２０およびパネル４５が枠体３０に対して傾斜して支持され、斜めに光を照射する場合でも、がたつくことなく確実にパネル４５を取り付けることができる。
【００２８】
本発明の照明器具は、前述した実施形態に限定されるものでなく、適宜な変形、改良等が可能である。
例えば、前述した実施形態においては、器具本体２０およびパネル４５を枠体３０に対して傾斜して取り付けて斜め配光する場合を例示したが、本発明は、真下に配光する場合にも適用可能である。
【符号の説明】
【００２９】
１０  照明器具
１１  天井面（被取付面）
２０  器具本体
２１  ＬＥＤ光源
３０  枠体
４０  前面枠
４４  反射板
４５  パネル
４５１  嵌合突起（パネルの一部）
４６  つば部
４７  嵌合部
４８  固定部
４９  支持部
【図１】
2014078473.tif 000003
【図２】
2014078473.tif 000004
【図３】
2014078473.tif 000005
【図４】
2014078473.tif 000006
【図５】
2014078473.tif 000007
【図６】
2014078473.tif 000008
【図７】
2014078473.tif 000009
【図８】
2014078473.tif 000010
【図９】
2014078473.tif 000011